(57)【要約】      （修正有）【課題】人偽的なミスが無くユーザ操作により容易に固定系防災無線装置の初期設定が行えるようにした防災無線システムを提供する。【解決手段】固定系防災無線装置１に、記憶部７と、制御部８と、コマンド解析部９と、このコマンド解析部９からの初期設定要求信号を受けて初期設定に関する処理を実行させる設定値管理部１０と、コマンド解析部９からの画面表示要求信号を受けて所定の画面表示データを作成して表示付きマイク１６へ出力する表示処理部１３とを構成し、一方、表示付きマイク１６には、表示処理部１３で作成した画面表示データに従って表示部１６Ａへ表示を行う表示機能部と、表示部１６Ａへの表示に基づいて選択確定した選択確定信号をコマンド解析部８へ送信するために押下する確定ボタン１６Ｂとを有して構成し、表示付きマイク１６を使用してその表示部１６Ａに初期設定画面を表示させ、これを目視確認しながら初期設定処理を行う。【選択図】図１
2011164959.tif 000002
【特許請求の範囲】
【請求項１】
固定系防災無線装置に、表示部と、上記固定系防災無線装置側で作成した画面表示データに従って上記表示部へ表示を行う表示機能部と、入力を行う操作ボタンとを有した表示部付きマイクを接続して構成した防災無線システムにおいて、上記固定系防災無線装置に、初期設定プログラムを格納した記憶部と、この初期設定プログラムに従って処理を行う制御部と、上記表示付きマイクからの選択確定信号を解析し初期設定要求信号または画面表示要求信号を出力するコマンド解析部と、このコマンド解析部からの初期設定要求信号を受けて初期設定に関する処理を実行させる設定値管理部と、上記コマンド解析部からの画面表示要求信号を受けて所定の画面表示データを作成して上記表示付きマイクへ出力する表示処理部とを構成し、上記表示付きマイクには、上記表示処理部からの画面表示データによる上記表示部への表示に基づいて選択確定した選択確定信号を上記コマンド解析部へ送信するための手段を設けたことを特徴とする防災無線システム。
【発明の詳細な説明】
【技術分野】
【０００１】
本発明は、固定系防災無線装置に表示付きマイク（データマイク）を接続して構成した防災無線システムに関する。
【背景技術】
【０００２】
親局装置からの無線による防災情報を子局装置である固定系防災無線装置で取得し、この取得した防災情報を音声出力や文字表示出力する防災無線システムが知られており、この固定系防災無線装置には、様々な外部接続装置が接続されて、その機能を増大する構成も示されている（例えば、特許文献１を参照）。この種の従来の固定系防災無線装置では、その初期設定を行う場合、固定系子局防災無線装置にシリアルケーブルにて保守制御端末装置を接続し、保守制御端末装置のターミナル上からコマンドおよび初期設定値が格納されているアドレスを指定し、人為的な操作により初期設定値、つまり周波数や市町村ＩＤ等の設定を行っていた。
【先行技術文献】
【特許文献】
【０００３】
【特許文献１】特開２００６−２５２９７号公報
【発明の概要】
【発明が解決しようとする課題】
【０００４】
しかしながら、上述したような従来の防災無線システムでは、固定系防災無線装置の初期設定を行うためには、保守員が専用の保守制御端末装置を固定系防災無線装置が設置されている現地へ持ち込まなければならず、しかも、この持ち込んだ保守制御端末装置を使用してユーザ操作によって行っていたため、保守制御端末装置からの設定を行う場合、人為的なミスを誘発してしまう恐れがあり、最悪の場合、親局装置からの防災情報を固定系防災無線装置で受信できないことも考えられる。
【０００５】
本発明の目的は、人為的なミスが無くユーザ操作により容易に固定系防災無線装置の初期設定が行えるようにした防災無線システムを提供することにある。
【課題を解決するための手段】
【０００６】
本発明は上記目的を達成するために、固定系防災無線装置に、表示部と、上記固定系防災無線装置側で作成した画面表示データに従って上記表示部へ表示を行う表示機能部と、入力を行う操作ボタンとを有した表示部付きマイクを接続して構成した防災無線システムにおいて、上記固定系防災無線装置に、初期設定プログラムを格納した記憶部と、この初期設定プログラムに従って処理を行う制御部と、上記表示付きマイクからの選択確定信号を解析し初期設定要求信号または画面表示要求信号を出力するコマンド解析部と、このコマンド解析部からの初期設定要求信号を受けて初期設定に関する処理を実行させる設定値管理部と、上記コマンド解析部からの画面表示要求信号を受けて所定の画面表示データを作成して上記表示付きマイクへ出力する表示処理部とを構成し、上記表示付きマイクには、上記表示処理部からの画面表示データによる上記表示部への表示に基づいて選択確定した選択確定信号を上記コマンド解析部へ送信するための手段を設けたことを特徴とする。
【発明の効果】
【０００７】
本発明による防災無線システムは、付属の外部接続機器である表示付きマイクを使用してその表示部に、固定系防災無線装置側の表示処理部で作成した画面を表示することができるので、これを目視確認しながら確定ボタンを操作して固定系防災無線装置へ選択確定信号を送信すると、これをコマンド解析部で解析して初期設定処理を簡単に行うことができ、操作性の向上を図りながらアドレス間違いなど人為的なミス発生を防止することができる。
【図面の簡単な説明】
【０００８】
【図１】図１は、本発明の一実施の形態による防災無線システムにおける固定系防災無線装置の概略構成を示すブロック構成図である。
【図２】図２は、図１に示した表示付きマイクにおける初期設定処理初期状態を示す正面図である。
【図３】図３は、図１に示した表示付きマイクにおける初期設定処理途中状態を示す正面図である。
【図４】図４は、図１に示した表示付きマイクにおける初期設定処理終期状態の表示画面を示す正面図である。
【図５】図５は、図１に示した表示付きマイクにおける送信周波数設定状態の表示画面を示す正面図である。
【図６】図６は、図１に示した表示付きマイクにおける受信周波数設定状態の表示画面を示す正面図である。
【図７】図７は、図１に示した表示付きマイクにおける市町村ＩＤ設定状態の表示画面を示す正面図である。
【図８】図８は、図１に示した固定系防災無線装置の初期設定処理動作の初期部分を示すシーケンス図である。
【図９】図９は、図１に示した固定系防災無線装置の初期設定処理動作の中期部分を示すシーケンス図である。
【図１０】図１０は、図１に示した固定系防災無線装置の初期設定処理動作の終期部分を示すシーケンス図である。
【図１１】図１１は、本発明の他の実施の形態による防災無線システムの固定系防災無線装置における表示付きマイクの初期化処理状態を示す正面図である。
【図１２】図１２は、図１１に示した表示付きマイクの工場出荷時設定処理状態を示す正面図である。
【図１３】図１３は、図１１に示した固定系防災無線装置の初期化処理の前半部分を示すシーケンス図である。
【図１４】図１４は、図１３に示した初期化処理の後半部分を示すシーケンス図である。
【発明を実施するための形態】
【０００９】
以下、本発明の実施の形態を図面に基づいて説明する。
【実施例１】
【００１０】
図１は、本発明の一実施の形態による防災無線システムにおける固定系防災無線装置の概略構成を示すブロック構成図である。
固定系防災無線装置１は、図示しないセンタ局装置からアンテナ２を介して防災無線信号を受信する受信部３と、受信した防災無線信号を処理する処理部４と、スピーカ６を通して防災放送として音声出力する音声出力部５と、装置全体の各種処理を行う制御プログラムや、初期設定プログラムおよび初期化プログラムを格納した記憶部７と、この制御プログラムに基づいて各種処理を行うと共に、特に起動時に初期設定プログラムに従って処理を行う制御部８と、詳細を後述する表示付きマイク１６からの選択確定信号を解析するコマンド解析部９と、コマンド解析部９のコマンド解析結果に基づいて初期設定要求信号を出力する設定値管理部１０と、この設定値管理部１０からの初期設定要求信号を受けたとき格納先への初期設定処理を制御する不揮発メモリ制御部１１と、この不揮発メモリ制御部１１により制御されて初期設定の登録および初期化を行う不揮発メモリ１２と、コマンド解析部９からの画面表示要求信号を受けて所定の画面表示データを出力する表示処理部１３と、後述する外部接続装置である表示付きマイク１６との通信を行う通信制御部１４と、固定系防災無線装置１と表示付きマイク１６とのインタフェースを行う専用コネクタ１５とを有して構成している。
【００１１】
この固定系防災無線装置１には、データマイク、ハンドセット等とも呼ばれる表示付きマイク１６が接続されており、表示付きマイク１６は、一般的な使用におけるマイク機能と、表示部１６Ａと、固定系防災無線装置１の表示処理部１３で作成した画面表示データを表示部１６Ａに表示する図示しない表示機能部と、表示部１６Ａに表示された処理項目を選択したり確定するために押下するＯＮボタンを兼用した確定ボタン１６Ｂと、入力時に操作する操作ボタン１６Ｃとを有している。表示付きマイク１６の表示部１６Ａには、従来の構成においても表示機能部によって所定の表示を行うことができたが、ここでは表示処理部１３で作成した画面表示データを表示部１６Ａに表示する機能を付加することによって、後述する説明から分かるように表示付きマイク１６は、固定系防災無線装置１の初期設定を行うための機能を有している。
【００１２】
次に、固定系防災無線装置１における初期設定処理動作について、図８に示したシーケンス図を用いて説明する。
固定系防災無線装置１を所定の設置位置に設置し、その電源を入れて起動処理１７を実行すると、初期設定プログラムが作動し、時刻ｔ１で表示処理部１３は初期設定確認信号を設定値管理部１０へ出力する。設定値管理部１０は初期設定が「済」か「未」かを管理しており、ここで初期設定は「未」設定であるから、時刻ｔ２での結果送信に基づいて表示処理部１３は、初期設定のための画面を作成する初期設定画面作成処理１８を行い、時刻ｔ３で初期設定画面の画面表示データと共に画面表示要求信号を通信制御部１４を通して表示付きマイク１６へ送信する。
【００１３】
画面表示要求信号を受けた表示付きマイク１６は、図示しない表示機能部で初期設定画面表示処理１９を行い、図２に示したように表示部１６Ａに初期設定画面を表示する。このときの初期設定画面は、「送信周波数」、「受信周波数」および「市町村ＩＤ」の全ての項目が未設定として表示される。ここで保守員は、表示部１６Ａを見ながら処理項目選択処理２０を行って表示付きマイク１６側での初期設定を開始する。例えば、この処理項目選択処理２０は、表示部１６Ａへの未設定の記載順番に従って処理順番を設定すると、先ず、最上部に位置する未設定の「送信周波数」を選択することになる。ここで確定ボタン１６Ｂを押下すると、送信周波数を選択したことを確定する送信周波数を選択確定処理２１が行われ、送信周波数の設定を通知する選択確定信号が時刻ｔ４で表示付きマイク１６から固定系防災無線装置１の通信制御部１４を通してコマンド解析部９へ入力される。
【００１４】
コマンド解析部９は、この送信周波数の選択確定信号を判別して時刻ｔ５で表示処理部１３に対応する画面表示要求信号を送信する。この画面表示要求信号を受けた表示処理部１３は、送信周波数の設定画面を作成する送信周波数設定画面作成処理２２を実行して送信周波数設定のための画面表示データを作成し、時刻ｔ６で画面表示データを画面表示要求信号と共に通信制御部１４を通して表示付きマイク１６へ送信する。
【００１５】
すると表示付きマイク１６では、図示しない表示機能部により受信した画面表示データに基づいて周波数の設定を行うための画面を実際に表示する周波数設定画面表示示処理２３を実施し、その表示部１６Ａに図５に示したように「送信周波数」の入力画面となる。そこで保守員は、ユーザ操作による送信周波数を数値入力する入力送信周波数入力処理２４として所定の操作ボタン１６Ｃを押下して「送信周波数」の初期値データを入力し、その後、確定ボタン１６Ｂを押下して送信周波数入力確定処理２５を行う。これによって時刻ｔ７で、送信周波数の初期値データを含む選択確定信号が表示付きマイク１６から固定系防災無線装置１の通信制御部１４を通してコマンド解析部９へ入力される。
【００１６】
この選択確定信号を受信したコマンド解析部９は、コマンド解析処理２６を実行する。その後、図９に示した時刻ｔ８で送信周波数の初期設定要求信号を設定値管理部１０へ送信する。これを受けた設定値管理部１０は、送信周波数の初期設定を行うための設定処理２７を開始し、時刻ｔ９で不揮発メモリ制御部１１に送信周波数の初期設定要求信号を送信する。初期値データと共に初期設定要求信号を受けた不揮発メモリ制御部１１は、不揮発メモリ１２へ送信周波数の初期値データを登録する。続いて設定値管理部１０は、時刻ｔ１０で不揮発メモリ制御部１１に対して初期設定確認信号を送って送信周波数の登録処理を確認する初期値設定確認処理２８を行った後、時刻ｔ１１で設定完了信号をコマンド解析部９へ送信する。コマンド解析部９では、送信周波数の初期値設定が完了したことを識別して、時刻ｔ１２で次の画面表示要求信号を表示処理部１３に与える。これを受けた表示処理部１３は、初期値設定プログラムに従って次の段階としての初期設定画面作成処理２９を行い、時刻ｔ１２で今回の初期設定画面の画面表示データと共に画面表示要求信号を通信制御部１４を通して表示付きマイク１６へ送信する。
【００１７】
このときの表示付きマイク１６の図示しない表示機能部は、今回取得した画面表示データに基づいた初期設定画面表示処理３０によって表示部１６Ａに、図２に類似した新たな初期設定画面が表示されるが、既に初期値の設定が完了した「送信周波数」は設定済みとの表示に変わり、「受信周波数」および「市町村ＩＤ」は未設定のままの表示となる。続いて保守員は、初期設置画面を見ながら上述した「送信周波数」の設定の場合と同様に二番目の「受信周波数」の初期値設定を行う。上述したように処理項目選択処理２０は、表示部１６Ａへの未設定の記載順番に従って処理順番が設定されているため、二番目に位置する未設定の「受信周波数」が指定されることになり、ここで確定ボタン１６Ｂを押下すると、受信周波数に対する初期設定を確定する受信周波数選択確定処理２１が行われたことになる。
【００１８】
その後は、「送信周波数」の初期設定時に行った送信周波数選択確定処理２１から初期設定画面表示処理３０までと同じ処理を、「受信周波数」に対して実行する。最初の「送信周波数」に対する初期設定の場合の周波数設定画面表示処理２３では、表示付きマイク１６の表示部１６Ａは図５に示した入力状態となるが、二番目の「受信周波数」に対する周波数設定画面表示処理２３では、表示付きマイク１６の表示部１６Ａは図６に示した入力状態となる。
【００１９】
二番目の「受信周波数」の初期設定で、「送信周波数」に対して行った初期設定画面表示処理３０に対応する処理まで進むと、表示付きマイク１６の表示部１６Ａは図３に示した状態となり、「送信周波数」および「受信周波数」は設定済みとなるが、「市町村ＩＤ」は依然として未設定として表示される。
【００２０】
続いて保守員は、図３に示した初期設置画面を見ながら三番目の「市町村ＩＤ」の初期設定を行う。上述した「送信周波数」の場合と同様に、図８に示した処理項目選択処理２０から周波数設定画面表示処理２３までを「市町村ＩＤ」に対して行うと、表示付きマイク１６の表示部１６Ａは、図７に示した状態となる。
【００２１】
次に、この状態から行う三番目の「市町村ＩＤ」の初期設定処理動作について、図１０に示したシーケンス図を用いて説明する。
表示付きマイク１６の表示部１６Ａが図７の状態となった後、ユーザ操作による市町村ＩＤ入力処理３１、つまり、所定の操作ボタン１６Ｃを押下することによって予め定めた「市町村ＩＤ」の初期値データを入力し、その後、確定ボタン１６Ｂを押下して市町村ＩＤの入力が確定したことを示す市町村ＩＤ入力確定処理３２を行う。これによって時刻ｔ１３で、市町村ＩＤの初期値データを含む選択確定信号が表示付きマイク１６から固定系防災無線装置１の通信制御部１４を通してコマンド解析部９へ入力される。
【００２２】
この選択確定信号を受信したコマンド解析部９は、コマンド解析処理３３を実行し、時刻ｔ１４で市町村ＩＤの初期設定要求信号を設定値管理部１０へ送信する。これを受けた設定値管理部１０は、市町村ＩＤの初期設定を行うための設定処理３４を開始し、時刻ｔ１５で不揮発メモリ制御部１１に市町村ＩＤの初期設定要求信号を送信する。初期値データと共に初期設定要求信号を受けた不揮発メモリ制御部１１は、不揮発メモリ１２へ市町村ＩＤの初期値データを登録する。続いて設定値管理部１０は、時刻ｔ１６で不揮発メモリ制御部１１に対して初期設定確認信号を送って市町村ＩＤの初期値を登録する処理が完了したことを確認する初期値設定確認処理３５を行った後、時刻ｔ１７で設定完了信号をコマンド解析部９へ送信する。これを受けたコマンド解析部９では、市町村ＩＤの初期値設定が完了したことを識別して、次の画面表示のための画面表示要求信号を表示処理部１３に与える。表示処理部１３は、初期設定プログラムに従って次の画面表示のために初期設定画面作成処理３６を行い、時刻ｔ１８で次の画面表示データと共に画面表示要求信号を通信制御部１４を通して表示付きマイク１６へ送信する。
【００２３】
この時点で全ての初期設定項目に対する初期値設定が済みとなるので、表示付きマイク１６の図示しない表示機能部で初期設定画面表示処理３７を行うと、図４に示したように初期設定処理の完了を意味する非表示となる。保守員は、このときの表示部１６Ａを目視して初期設定処理を完了していることを確認することができる。しかし、表示部１６Ａを初期設定画面表示処理３７によって非表示としたとき、その表示形式では確認が難しくなると思われるなら、表示部１６Ａには、その他の表示形式、例えば図３とほぼ同様の表示で、かつ全ての初期設定項目に対して設定済みを表示する表示形式としても良い。
【００２４】
上述した防災無線システムにおける固定系防災無線装置１では、固定系防災無線装置１に、初期設定プログラムを格納した記憶部７と、この初期設定プログラムに従って処理を行う制御部８と、表示付きマイク１６からの選択確定信号を解析し初期設定要求信号または画面表示要求信号を出力するコマンド解析部９と、このコマンド解析部９からの初期設定要求信号を受けて初期設定に関する処理を実行させる設定値管理部１０と、コマンド解析部９からの画面表示要求信号を受けて所定の画面表示データを作成して表示付きマイク１６へ出力する表示処理部１３とを構成し、一方、表示付きマイク１６は、表示処理部１３で作成した画面表示データに従って表示部１６Ａへ表示を行う表示機能部と、表示部１６Ａへの表示に基づいて選択確定した選択確定信号をコマンド解析部８へ送信するために押下する確定ボタン１６Ｂとを有して構成したため、付属の接続機器である表示付きマイク１６を使用してその表示部１６Ａに初期設定画面を表示させ、これを目視確認しながら初期設定処理を簡単に行うことができるので、操作性の向上を図りながらアドレス間違いなど人為的なミス発生を防止することができる。従来の防災無線システムにおける固定系防災無線装置の初期設定では、保守員が専用の保守制御端末装置を現地へ持ち込み、ユーザ操作により保守制御端末装置を使用して行うため、保守制御端末装置のターミナル上からアドレスを指定し設定するとき、人為的なミスを誘発してしまう恐れがあったが、これを防止して、親局装置との無線接続ができない状態となるのを容易に回避することができる。
【００２５】
上述した初期設定処理は、固定系防災無線装置１の電源を入れた時に初期設定プログラムを起動させ、この初期設定プログラムに従って初期設定を行うようにしたが、表示付きマイク１６に新たに付設した専用の初期設定開始ボタン、あるいは初期設定開始を割り付けた操作ボタン１６Ｃを押下することによって初期値設定プログラムを起動するようにしても良い。固定系防災無線装置１の電源を入れた時とは別に初期設定プログラムを起動するようにすると、必要なときに、例えば図２に示したような表示部１６Ａとすることができる。初期設定画面の全ての項目が「済」となると、図８に示した設定管理部１０は初期設定「済」となる。
【実施例２】
【００２６】
図１３および図１４は、本発明の他の実施の形態による防災無線システムにおける固定系防災無線装置の初期化処理動作を示すシーケンス図である。
固定系防災無線装置１では工場出荷時に予め初期設定を行うものの、現地において、この工場出荷時設定を初期化する場合がある。この初期化を可能にするために、この実施の形態では、初期設定プログラムとして、詳細を後述する初期化プログラムを含んで固定系防災無線装置１の記憶部７内に予め格納しておき、所定のタイミングで初期化プログラムを起動して行うようにしている。
【００２７】
初期化プログラムを起動した状態で、図１３に示したように先ず初期化処理を行うためのユーザ操作としての入力処理３８を行い、その後、初期化を確定する初期化選択確定処理３９として確定ボタン１６Ｂを押下すると、時刻ｔ２０で表示付きマイク１６から固定系防災無線装置１に対して初期化の選択確定信号が送信される。この選択確定信号は通信制御部１４を通してコマンド解析部９へ送信され、コマンド解析部９では、コマンド解析を行って初期化の選択確定信号であることを識別し、時刻ｔ２１で表示処理部１３へ対応する画面作成のために画面表示要求信号を与える。画面表示要求信号を受けた表示処理部１３は、初期化プログラムに従って対応する初期化画面を作成する初期化画面作成処理４０を行い、時刻ｔ２２で作成した画面表示データと共に画面表示要求信号を通信制御部１４を通して表示付きマイク１６へ送信する。
【００２８】
画面表示要求信号を受けた表示付きマイク１６の図示しない表示機能部は、初期化画面の画面表示データに基づいて初期化画面表示処理４１を行い、図１１に示したように表示部１６Ａに初期化画面を表示する。ここでは、「初期化」画面であることの表示と、その元に「工場出荷維持設定」だけの表示をしているため、確定ボタン１６Ｂを押下すると入力処理４２によって「工場出荷時設定」を選択したことになり、再度、確定ボタン１６Ｂを押下すると工場出荷時設定画面選択処理４３として「工場出荷時設定」を確定したことになる。また、これによって時刻ｔ２３で、表示付きマイク１６から固定系防災無線装置１に対して工場出荷時設定の選択確定信号が送信される。
【００２９】
この選択確定信号は通信制御部１４を通してコマンド解析部９へ送信され、コマンド解析部９では、コマンド解析を行って工場出荷時設定の選択確定信号であることを識別し、時刻ｔ２４で対応する画面表示を作成するために表示処理部１３へ画面表示要求信号を与える。この画面表示要求信号を受けた表示処理部１３は、初期化プログラムに従って、対応する工場出荷時設定のための画面を作成する工場出荷時設定画面作成処理４０を行い、時刻ｔ２５で、画面表示データと共に画面表示要求信号を通信制御部１４を通して表示付きマイク１６へ送信する。
【００３０】
画面表示要求信号を受けた表示付きマイク１６は、図示しない表示機能部で画面表示データに基づいて画面表示を行うために工場出荷時設定画面表示処理４５を行うと、図１２に示したように表示部１６Ａに次の工場出荷時設定画面を表示する。その後の操作は、図１４に示すようにユーザ操作による入力処理４６に従って、工場出荷時設定を初期化することになる図１１の「Ｙｅｓ」を選択し、その後、確定ボタン１６Ｂを押下してＹＥＳ選択確定処理４７を実行すると、時刻ｔ２６で表示付きマイク１６から固定系防災無線装置１に対してこの選択確定信号が送信される。
【００３１】
この選択確定信号を受信したコマンド解析部９は、コマンド解析処理４８を実行し、時刻ｔ２７で初期化のための初期設定要求信号を設定値管理部１０へ送信する。これを受けた設定値管理部１０は、初期値設定処理４９を開始し、時刻ｔ２８で不揮発メモリ制御部１１に工場出荷時の初期設定を初期化する初期設定要求信号を送信する。初期設定要求信号を受けた不揮発メモリ制御部１１は、不揮発メモリ１２内に格納されている工場出荷時の初期値を初期化する処理を実行させる。続いて設定値管理部１０は、これまで工場出荷時設定によって初期設定「済」となっていたことをクリアするクリア処理５０を実行し、これ以降、初期設定を「未」として管理する。時刻ｔ２９で不揮発メモリ制御部１１に対してクリア設定信号を送る。その後、この処理が完了したことを確認して時刻ｔ３０で、設定完了信号をコマンド解析部９へ送信する。これを受けたコマンド解析部９では、この信号を識別して装置リセット処理５１を実行する。
【００３２】
このようにして、先の実施の形態の場合と同様に表示付きマイク１６を使用して、固定系防災無線装置１の工場出荷時の設定を初期化することができる。その後、固定系防災無線装置１の使用形態に対応する初期設定が必要な場合は、先の実施の形態で説明したように固定系子局防災無線装置１を再起動して初期設定プログラムを起動して行う。このとき、図８に示した設定管理部１０で管理する初期設定は「未」となっており、先の場合と同様に初期設定を行うことができる。
【００３３】
上述の説明から分かるように、初期化プログラムによる処理でも、先の初期設定プログラムの場合と同様に、コマンド解析部９からの画面表示要求信号を受けた表示処理部１３はその都度予め定めた画面表示データを作成し、これを受けた表示付きマイク１６では、表示処理部１３から受信した画面表示データに基づいて表示部１６Ａへの表示を行うため、保守員はこのときの表示部１６Ａを目視しながら、選択確定信号を送信することによって、不揮発メモリ１２の工場出荷時設定を初期化する処理を容易に行うことができる。
【００３４】
上述した初期化プログラムの起動は他のタイミングで行うことができる。例えば、上述したように固定系防災無線装置１の電源を入れて起動させた時に、初期化プログラムを含む初期設定プログラムを起動し、図８で説明した初期設定画面表示処理１９によって表示付きマイク１６の表示部１６Ａを図２に状態にしたとき、この表示画面中に先ず、「初期設定」と「初期化」とを選択可能に表示させることもできる。この表示画面で、「初期設定」を選択した場合には図８で説明した初期設定プログラムを作動させ、一方、「初期化」を選択した場合には、図１３および図１４で説明した初期化プログラムを作動させて図１２に示した入力処理３８から同様に処理を進めることもできる。
【００３５】
また、表示付きマイク１６に専用の初期化開始ボタンおよび専用の初期値設定開始ボタンを取り付けたり、あるいは初期化開始または初期値設定開始を割り付けた操作ボタン１６Ｃを設け、これらのいずれかを押下したときに、固定系防災無線装置１の記憶部７内に格納した初期化プログラムまたは初期値設定プログラムを起動させるようにしても良い。
【００３６】
このような防災無線システムにおける固定系防災無線装置では、市町村統合などで市町村ＩＤなど初期設定値に変更が発生する場合がある。このような場合においても、上述の防災無線システムにおける固定系防災無線装置によれば、表示付きマイク１６の表示部１６Ａを目視しながら、以前の初期設定を初期化したり、新たな初期設定を容易に、かつ確実に行うことができ、迅速に運用へ移行することが可能となる。
【産業上の利用可能性】
【００３７】
本発明による防災無線システムは、図１に示した固定系防災無線装置１に限らず、その他の構成のものにも適用することができる。例えば、表示付きマイク１６は通常使用のＯＮボタンを確定ボタン１６Ｂとして兼用しているが、ＯＮボタンと確定ボタン１６Ｂを別々に分けたり、既に構成されている操作ボタン１６Ｃにその機能を割り付けても良い。従って、表示付きマイク１６から固定系防災無線装置１側に選択確定信号を送信するのは、確定ボタン１６Ｂに限らず他の手段を使用することができる。また初期設定プログラムも、図８で説明した処理手順に従うものに限らず、その他のものにも適用することができる。
【符号の説明】
【００３８】
１    固定系防災無線装置
２    アンテナ
３    受信部
４    処理部
５    音声出力部
６    スピーカ
７    記憶部
８    制御部
９    コマンド解析部
１０    設定値管理部
１１    不揮発メモリ制御部
１２    不揮発メモリ
１３    表示処理部
１４    通信制御部
１５    コネクタ
１６    表示付きマイク
１６Ａ    表示部
１６Ｂ    確定ボタン
１６Ｃ    操作ボタン
１７    起動処理
１８    初期設定画面作成処理
１９    初期設定画面表示処理
２０    処理項目選択処理
２１    送信周波数選択確定処理
２２    周波数設定画像作成処理
２３    周波数設定画面表示処理
２４    送信周波数入力処理
２５    送信周波数入力確定処理
２６    コマンド解析処理
２７    設定処理
２８    初期設定確認処理
２９    初期設定画面作成処理
３０    初期設定画面表示処理
３１    市町村ＩＤ入力処理
３２    市町村ＩＤ確定処理
３３    コマンド解析処理
３４    設定処理
３５    初期設定確認処理
３６    初期設定画面作成処理
３７    初期設定画面表示処理
３８    入力処理
３９    初期化画面選択処理
４０    初期化画面作成処理
４１    初期化画面表示処理
４２    入力処理
４３    工場出荷時設定画面選択処理
４４    工場出荷時設定画面作成処理
４５    工場出荷時設定画面表示処理
４６    入力処理
４７    ＹＥＳ選択確定処理
４８    コマンド解析処理
４９    初期値設定処理
５０    初期設定「済」クリア処理
５１    装置リセット処理
【図１】
2011164959.tif 000003
【図２】
2011164959.tif 000004
【図３】
2011164959.tif 000005
【図４】
2011164959.tif 000006
【図５】
2011164959.tif 000007
【図６】
2011164959.tif 000008
【図７】
2011164959.tif 000009
【図８】
2011164959.tif 000010
【図９】
2011164959.tif 000011
【図１０】
2011164959.tif 000012
【図１１】
2011164959.tif 000013
【図１２】
2011164959.tif 000014
【図１３】
2011164959.tif 000015
【図１４】
2011164959.tif 000016